(57)【要約】【課題】表示領域を有効活用しつつ、多種の情報を確実に提供すること。【解決手段】回転または回動する指針（たとえば分針１０４）と、文字、記号などの情報を電気光学的に表示するデジタル表示部１０７と、を備え、指針（たとえば分針１０４）が回転または回動する位置に応じて、デジタル表示部１０７に表示されている情報の表示形態を変更して表示するため、指針（たとえば分針１０４）の回転または回動によって電気光学的に情報を表示する表示手段の一部が遮られる場合であっても、表示手段に表示される情報をより確実に認識することができる。【選択図】        図１
2006275948.tif 000002
【特許請求の範囲】
【請求項１】
回転または回動する指針と、
文字、記号などの情報を電気光学的に表示する表示手段と、
を備えた電子機器において、
前記表示手段を制御して、前記指針が回転または回動する位置に応じて、前記表示手段に表示されている情報の表示形態を変更して表示する表示制御手段を備えたことを特徴とする電子機器。
【請求項２】
前記情報は、その少なくとも一部が、前記指針の回転または回動領域と重なる位置に表示される情報であって、
前記表示制御手段は、前記指針が回転または回動する位置に応じて、前記表示手段の表示領域内における前記情報の表示位置を変更して表示することを特徴とする請求項１に記載の電子機器。
【請求項３】
前記表示制御手段は、前記指針が回転または回動する位置に応じて、前記情報の表示位置を変更しなかった場合と比較して、前記指針が前記情報を遮る範囲が少なくなるように、前記表示手段の表示領域内における前記情報の表示位置を変更して表示することを特徴とする請求項２に記載の電子機器。
【請求項４】
前記表示制御手段は、前記指針が前記情報を遮る範囲がゼロとなるように、前記表示手段の表示領域内における前記情報の表示位置を変更して表示することを特徴とする請求項３に記載の電子機器。
【請求項５】
前記表示制御手段は、前記指針が回転または回動する位置に応じて、前記情報の表示位置を変更しなかった場合と比較して、前記指針が前記情報を遮る時間が短くなるように、前記表示手段の表示領域内における前記情報の表示位置を変更して表示することを特徴とする請求項２に記載の電子機器。
【請求項６】
前記表示制御手段は、前記指針が前記情報を遮る時間がゼロとなるように、前記表示手段の表示領域内における前記情報の表示位置を変更して表示することを特徴とする請求項５に記載の電子機器。
【請求項７】
前記表示制御手段は、前記表示手段の所定の表示領域にそれぞれ表示された複数の情報を表示するとともに、前記複数の情報にそれぞれ設定された優先順位に基づいて、前記表示手段の表示領域内における、前記複数の情報のうちの少なくとも一つの情報の表示位置を変更して表示することを特徴とする請求項２〜６のいずれか一つに記載の電子機器。
【請求項８】
前記表示制御手段は、前記表示手段の所定の表示領域にそれぞれ表示された複数の情報を表示するとともに、表示された前記複数の情報にそれぞれ設定された優先順位に基づいて、前記表示手段の表示領域内における、前記複数の情報のうちの少なくとも２つの情報の各表示位置を入れ替えて表示することを特徴とする請求項２〜６のいずれか一つに記載の電子機器。
【請求項９】
前記表示制御手段は、前記情報を前記表示手段の表示領域の上下方向に少なくとも２段に表示することを特徴とする請求項２〜８のいずれか一つに記載の電子機器。
【請求項１０】
前記表示手段に表示されている情報を、前記情報とは同時に表示しない、一つまたは複数の情報（以下「別の情報」という）に切り替えて表示する切替スイッチを有し、
前記別の情報は、前記指針の回転または回動領域と、少なくとも一部が重なる位置に表示される情報であって、
前記表示制御手段は、前記指針が回転または回動する位置に応じて、前記表示手段の表示領域内における前記別の情報の表示位置を変更して表示することを特徴とする請求項２〜９のいずれか一つに記載の電子機器。
【請求項１１】
時刻計時処理をおこなう計時手段と、
所定の計測をおこなう計測手段と、
を備え、
前記計時手段によって取得される情報よりも、前記計測手段によって取得される情報の優先順位を高くすることを特徴とする請求項６〜１０のいずれか一つに記載の電子機器。
【請求項１２】
前記表示制御手段は、前記計測手段によって取得される情報を所定のタイミングで更新することを特徴とする請求項１１に記載の電子機器。
【請求項１３】
前記指針は回転または回動周期の異なる指針を複数備え、
前記指針のうちの、前記周期の長い指針に対して、前記表示手段の表示領域内における前記情報の表示位置を変更して表示することを特徴とする請求項２〜１２のいずれか一つに記載の電子機器。
【請求項１４】
前記周期の長い指針は、時刻の分以上の回転または回動周期の指針であることを特徴とする請求項１３に記載の電子機器。
【請求項１５】
時計としての機能を実現する文字板を備え、
前記文字板を１２時の位置から６時の位置を結ぶ２線で２分割した領域のうちの３時を含む領域側に前記表示手段を設けたことを特徴とする請求項１〜１４のいずれか一つに記載の電子機器。
【請求項１６】
３時の位置を含む領域に前記表示手段を設けたことを特徴とする請求項１５に記載の電子機器。
【請求項１７】
複数の物理量を測定する測定手段を備え、
前記指針のうちのいずれか一つの指針によって、前記複数の物理量の測定値を切り替えて表示することを特徴とする請求項１〜１６のいずれか一つに記載の電子機器。
【請求項１８】
前記指針のうちのいずれか一つの指針は、時計回りまたは反時計回りに回動することによって前記複数の物理量の測定値を表示するとともに、前記複数の物理量の測定値の大小を同一の回動方向とすることを特徴とする請求項１７に記載の電子機器。
【請求項１９】
前記複数の物理量は、最大深度および電池電圧を含むことを特徴とする請求項１７または１８に記載の電子機器。
【請求項２０】
駆動パルスによって動作する複数の警報手段と、
前記駆動パルスを、前記警報手段ごとに互いに重ならないタイミングで出力させる駆動パルス制御手段と、
を備えたことを特徴とする請求項１〜１９のいずれか一つに記載の電子機器。
【請求項２１】
前記警報手段は、発光装置および報音装置であることを特徴とする請求項２０に記載の電子機器。
【請求項２２】
前記指針は、秒針と、前記秒針以外の指針とを含み、
前記秒針および前記秒針以外の指針によって時刻を表示する時刻表示モードと、前記秒針を秒周期で駆動するとともに、前記秒針以外の指針によって、時刻以外の情報を表示する他のモードと、を切り替えるモード切替手段を備えたことを特徴とする請求項１〜２１のいずれか一つに記載の電子機器。
【請求項２３】
前記秒針以外の指針の少なくともいずれかがモードの内容を表示することを特徴とする請求項２２に記載の電子機器。
【請求項２４】
前記秒針以外の指針の少なくともいずれかが潜水情報を表示することを特徴とする請求項２２または２３に記載の電子機器。
【請求項２５】
回転または回動する指針と、文字、記号などの情報を電気光学的に表示する表示手段と、を備えた電子機器の表示制御方法であって、
前記指針が回転または回動する位置に応じて、表示されている情報の表示形態を変更して表示することを特徴とする表示制御方法。
【発明の詳細な説明】
【技術分野】
【０００１】
この発明は、回転または回動する指針と、文字、記号などの情報を電気光学的に表示する表示手段と、を備えた電子機器およびその電子機器の表示制御方法に関する。
【背景技術】
【０００２】
従来、潜水する際装着する腕時計にはベゼルが設けられており、使用者は、ベゼルを回転して、ベゼルの１２時の位置を潜水を開始した時の分針の位置に合わせる。使用者は、潜水中、ベゼルの１２時の位置から、分針がどのくらい回動したかで、潜水時間を認識していた。
【０００３】
しかし、ベゼルの１２時の位置が潜水をするたびに異なるため、瞬時に潜水時間を把握しづらかったり、あるいは誤認識するおそれがあるという問題点があった。また、ベゼル部分を岩などに接触させて、ベゼルが不用意に回動してしまい、それによって潜水時間がわからなくなってしまうということがあった。そのため、ベゼルを使用することなく、潜水を開始した時点で、分針を１２時の位置へ移動させ、１２時の位置から分周期で回動を開始させ、分針を用いて潜水時間を表示することで、上記問題点を解決することができた。
【０００４】
一方、たとえばダイブコンピュータなどの電子機器は、指針だけでなく、液晶画面などの表示画面を同時に備えているものがあり、指針と表示画面の両方によって、多種の情報の提供を図っていた。その際、表示面（文字板）のスペースの関係上、指針の回転または回動によって表示画面が指針の下側にくる場合があるため、表示画面に表示された情報の一部が確認できなくなることがある。
【０００５】
そのため従来技術にあっては、指針の回動によって、表示画面に表示される情報が隠されない位置、すなわち指針の中心から見て指針よりも遠い位置に表示画面を設けることが開示されている（たとえば特許文献１参照。）。また、別の従来技術にあっては、表示画面と指針が重なる位置では当該指針を早送りすることが開示されている（たとえば特許文献２参照。）。また、指針の中身をくりぬいて、たとえ指針と表示画面とが重なったとしても、くりぬかれた部分から、指針の下側にある表示画面の情報を確認できるものも開示されている。
【０００６】
【特許文献１】実公平６−１６３５４号公報（第２ページ、第１図）
【特許文献２】特開昭６２−３５２８３号公報（第５ページ、第４図、第５図）
【発明の開示】
【発明が解決しようとする課題】
【０００７】
しかしながら、上記特許文献１にあっては、指針を短くするか、液晶表示画面を小型化するため、視認性が低下してしまうという問題点があった。特にダイブコンピュータとして潜水中において使用する場合は、その問題が顕著となる。その問題を解消するために装置全体が大型化すると、今度は携帯性を損なうことが考えられる。
【０００８】
また、上記特許文献２にあっては、指針が早送りされることによって、一定の速度で回動しないので、指針（特に分針）を用いて潜水時間を表示することが困難になるという問題点があった。さらに、指針の中身をくりぬくと、今度は指針自体が識別困難になってしまうという問題点があった。
【０００９】
この発明は、上述した従来技術による問題点を解消するため、表示領域を有効活用しつつ、多種の情報を確実に提供することが可能な電子機器および表示制御方法を提供することを目的とする。
【課題を解決するための手段】
【００１０】
上述した課題を解決し、目的を達成するため、この発明にかかる電子機器は、回転または回動する指針と、文字、記号などの情報を電気光学的に表示する表示手段と、を備えた電子機器において、前記表示手段を制御して、前記指針が回転または回動する位置に応じて、前記表示手段に表示されている情報の表示形態を変更して表示する表示制御手段を備えたことを特徴とする。
【００１１】
また、この発明にかかる電子機器は、上記発明において、前記情報が、その少なくとも一部が、前記指針の回転または回動領域と重なる位置に表示される情報であって、前記表示制御手段が、前記指針が回転または回動する位置に応じて、前記表示手段の表示領域内における前記情報の表示位置を変更して表示することを特徴とする。
【００１２】
また、この発明にかかる電子機器は、上記発明において、前記表示制御手段が、前記指針が回転または回動する位置に応じて、前記情報の表示位置を変更しなかった場合と比較して、前記指針が前記情報を遮る範囲が少なくなるように、前記表示手段の表示領域内における前記情報の表示位置を変更して表示することを特徴とする。
【００１３】
また、この発明にかかる電子機器は、上記発明において、前記表示制御手段が、前記指針が前記情報を遮る範囲がゼロとなるように、前記表示手段の表示領域内における前記情報の表示位置を変更して表示することを特徴とする。
【００１４】
また、この発明にかかる電子機器は、上記発明において、前記表示制御手段が、前記指針が回転または回動する位置に応じて、前記情報の表示位置を変更しなかった場合と比較して、前記指針が前記情報を遮る時間が短くなるように、前記表示手段の表示領域内における前記情報の表示位置を変更して表示することを特徴とする。
【００１５】
また、この発明にかかる電子機器は、上記発明において、前記表示制御手段が、前記指針が前記情報を遮る時間がゼロとなるように、前記表示手段の表示領域内における前記情報の表示位置を変更して表示することを特徴とする。
【００１６】
また、この発明にかかる電子機器は、上記発明において、前記表示制御手段が、前記表示手段の所定の表示領域にそれぞれ表示された複数の情報を表示するとともに、表示された前記複数の情報にそれぞれ設定された優先順位に基づいて、前記表示手段の表示領域内における、前記複数の情報のうちの少なくとも２つの情報の各表示位置を入れ替えて表示することを特徴とする。
【００１７】
また、この発明にかかる電子機器は、上記発明において、前記表示制御手段が、前記情報を前記表示手段の表示領域の上下方向に少なくとも２段に表示することを特徴とする。
【００１８】
また、この発明にかかる電子機器は、上記発明において、前記表示手段に表示されている情報を、前記情報とは同時に表示しない、一つまたは複数の情報（以下「別の情報」という）に切り替えて表示する切替スイッチを有し、前記別の情報が、前記指針の回転または回動領域と、少なくとも一部が重なる位置に表示される情報であって、前記表示制御手段が、前記指針が回転または回動する位置に応じて、前記表示手段の表示領域内における前記別の情報の表示位置を変更して表示することを特徴とする。
【００１９】
また、この発明にかかる電子機器は、上記発明において、時刻計時処理をおこなう計時手段と、所定の計測をおこなう計測手段と、を備え、前記情報または前記別の情報のうち、前記計時手段によって取得される情報よりも、前記計測手段によって取得される情報の優先順位を高くすることを特徴とする。
【００２０】
また、この発明にかかる電子機器は、上記発明において、前記表示制御手段が、前記計測手段によって取得される情報を所定のタイミングで更新することを特徴とする。
【００２１】
また、この発明にかかる電子機器は、上記発明において、前記指針は回転または回動周期の異なる指針を複数備え、前記指針のうちの、前記周期の長い指針に対して、前記表示手段の表示領域内における前記情報の表示位置を変更して表示することを特徴とする。
【００２２】
また、この発明にかかる電子機器は、上記発明において、前記周期の長い指針が、時刻の分以上の回転または回動周期の指針であることを特徴とする。
【００２３】
また、この発明にかかる電子機器は、上記発明において、時計としての機能を実現する文字板を備え、前記文字板を１２時の位置から６時の位置を結ぶ２線で２分割した領域のうちの３時を含む領域側に前記表示手段を設けたことを特徴とする。
【００２４】
また、この発明にかかる電子機器は、上記発明において、３時の位置を含む領域に前記表示手段を設けたことを特徴とする。
【００２５】
また、この発明にかかる電子機器は、上記発明において、複数の物理量を測定する測定手段を備え、前記指針のうちのいずれか一つの指針によって、前記複数の物理量の測定値を切り替えて表示することを特徴とする。
【００２６】
また、この発明にかかる電子機器は、上記発明において、前記指針のうちのいずれか一つの指針が、時計回りまたは反時計回りに回動することによって前記複数の物理量の測定値を表示するとともに、前記複数の物理量の測定値の大小を同一の回動方向とすることを特徴とする。
【００２７】
また、この発明にかかる電子機器は、上記発明において、前記複数の物理量が、最大深度および電池電圧を含むことを特徴とする。
【００２８】
また、この発明にかかる電子機器は、上記発明において、駆動パルスによって動作する複数の警報手段と、前記駆動パルスを、前記警報手段ごとに互いに重ならないタイミングで出力させる駆動パルス制御手段と、を備えたことを特徴とする。
【００２９】
また、この発明にかかる電子機器は、上記発明において、前記警報手段が、発光装置および報音装置であることを特徴とする。
【００３０】
また、この発明にかかる電子機器は、上記発明において、前記指針が、秒針と、前記秒針以外の指針とを含み、前記秒針および前記秒針以外の指針によって時刻を表示する時刻表示モードと、前記秒針を秒周期で駆動するとともに、前記秒針以外の指針によって、時刻以外の情報を表示する他のモードと、を切り替えるモード切替手段を備えたことを特徴とする。
【００３１】
また、この発明にかかる電子機器は、上記発明において、前記秒針以外の指針の少なくともいずれかがモードの内容を表示することを特徴とする。
【００３２】
また、この発明にかかる電子機器は、上記発明において、前記秒針以外の指針の少なくともいずれかが潜水情報を表示することを特徴とする。
【００３３】
また、この発明にかかる表示制御方法は、回転または回動する指針と、文字、記号などの情報を電気光学的に表示する表示手段と、を備えた電子機器の表示制御方法であって、前記指針が回転または回動する位置に応じて、表示されている情報の表示形態を変更して表示することを特徴とする。
【発明の効果】
【００３４】
本発明によれば、指針の回転または回動によって電気光学的に情報を表示する表示手段の一部が遮られる場合であっても、表示手段に表示される情報をより確実に認識することができるので、表示領域を有効活用しつつ、多種の情報を確実に提供することができる電子機器および表示制御方法が得られるという効果を奏する。
【発明を実施するための最良の形態】
【００３５】
以下に添付図面を参照して、この発明にかかる電子機器および表示制御方法の好適な実施の形態を詳細に説明する。
【００３６】
（電子機器の外観）
図１は、本実施の形態にかかる電子機器の外観を示す説明図である。図１において、電子機器は、本体１００と、本体１００をたとえば腕に装着するためのバンド１０１とから構成される、腕時計型の電子機器である。また、本体１００の外周には、複数の操作ボタン１０２（１０２ａ、１０２ｂ、１０２ｃ、１０２ｄ）を備えている。本体１００の表示部分には、複数の指針（秒針１０３、分針１０４、時針１０５、機能針１０６）と、電気光学的に情報を表示するデジタル表示部１０７とを備える。また１０８は、後述する水感知センサおよび圧力センサである。
【００３７】
本体１００の表示には、少なくとも２つのモード（時刻表示モード、潜水モード）が存在する。時刻表示モードでは、秒針１０３は秒周期で回転、すなわち６０秒で１回転（１周）する。分針１０４は、分周期で回転、すなわち６０分で１回転（１周）する。時針１０５は、時周期で回転、すなわち１２時間で１回転（１周）する。これらの指針（秒針１０３、分針１０４、時針１０５）によって時刻を表示する。
【００３８】
一方、潜水が開始された場合、すなわち時刻表示モードから潜水モードへと切り替わった場合、秒針１０３はそのまま秒周期で回転する。これによって、秒針１０３の動きを見ることで、電子機器の本体１００が正常に動いているか否かを容易に判断することができる。特に、潜水活動中に電子機器の本体１００に衝撃を与えてしまった後、電子機器１００が故障しているか否かを秒針１０３の動作によって確認する際に用いることができる。
【００３９】
また、分針１０４は、現在時刻を表していた位置から１２時の位置へ高速で移動し、その後、分周期で回転を開始する。したがって、潜水中は、分針１０４の指し示す位置を確認すれば、直感的に潜水時間を認識することができる。また、時針１０５は、現在時刻を表していた位置から６時の位置へ高速で移動し、静止する。６時の位置には『ＤＩＶＥ』と表示されており、時針１０５がここを指し示すことによって（後述する図６を参照）、現在潜水モードであることが一見して理解できる。
【００４０】
このように、指針は、秒針１０３と、秒針１０３以外の指針（分針１０４、時針１０５）とを含み、秒針１０３および秒針１０３以外の指針（分針１０４、時針１０５）によって時刻を表示する時刻表示モードと、秒針１０３を秒周期で駆動するとともに、秒針１０３以外の指針（分針１０４、時針１０５）によって、時刻以外の情報（たとえば、潜水時間などの潜水情報や、潜水モードであることなど）を表示する他のモードと、を切り替えることができる。
【００４１】
また、機能針１０６は、時刻以外の情報を表示する。具体的には、機能針１０６は時刻表示モードでは電池電圧に関する情報を表示している。これによって、使用者は電池の残量に関する情報を認識することができる。電池電圧に関する情報は、機能針１０６が反時計回りに回動し、略７時〜８時の位置（「ＦＵＬＬ  ＢＡＴＴＥＲＹ」）を指し示している場合は、電池電圧が高いことを示し、反対に、機能針１０６が時計回りに回動し、略１０時〜１１時の位置を指し示している場合は、電池電圧が低いこと（あるいは０）を示す。したがって、図１にあっては、略９時の位置を指し示しているので、中程度の電池電圧であることがわかる。さらに機能針１０６は、潜水モードの時に時刻以外の情報として、その潜水活動中に到達した最大深度を表示するようにしている。この場合、機能針１０６が反時計回りに回動し、略７時〜８時の位置（約７０ｍ）を指し示している場合は、深い位置まで潜水したことを示し、反対に、機能針１０６が略１０時〜１１時の位置を指し示している場合は、その潜水活動中に到達した最大深度がまだ浅いこと（約１０ｍ）を示す。したがって、図１にあっては、略９時の位置を指し示しているので、その潜水活動での最大深度が約４５ｍ程度であることがわかる。
【００４２】
このように、指針（具体的には、たとえば機能針１０６）によって、複数の物理量の測定値（具体的には、たとえば電池電圧と最大深度）を切り替えて表示することができる。ここで、指針（具体的には、たとえば機能針１０６）は、時計回りまたは反時計回りに回動することによって複数の物理量の測定値を表示するとともに、複数の物理量の測定値の大小を同一の回動方向とすることができる。つまり、機能針１０６を反時計方向に回動させると、最大深度の場合は深い方向となり、電池電圧の場合は電圧が高い方向となるように関係付けることができる。逆に機能針１０６を時計方向に回動させると、最大深度の場合は浅い方向となり、電池電圧の場合は電圧が低い方向となるように関係付けることができる。
【００４３】
デジタル表示部１０７に表示される情報は、その少なくとも一部が、指針（たとえば秒針１０３）の回転または回動領域と重なる位置に表示される情報である。すなわち、秒針１０３の先端部が回転したときに作る軌跡が円となり、その円の内部の領域を秒針１０３の回転領域とする。この領域内に表示される情報は、同じ位置に表示し続けていると、秒針によって遮られる。
【００４４】
扇状にレトグラード表示する指針があった場合には、その指針が、一方向に最大限移動しうる位置まで移動したときの針の先端部の位置（ａ）と、回動中心とを結ぶ線と、他方向に最大限移動しうる位置まで移動したときの針の先端部の位置（ｂ）と回動中心とを結ぶ線と、ａ点とｂ点との間を指針の先端部が移動するときの軌跡と、で囲まれる扇状の領域を、回動領域とする。この場合、指針が回動軸を挟んで反対方向にも突出している場合は、反対方向にも同様な回動領域を有する。
【００４５】
また、デジタル表示部１０７は、時計としての機能を実現する文字板を１２時の位置から６時の位置を結ぶ２線で２分割した領域のうちの３時を含む領域側に設けるのがよい。なぜなら、通常左腕に装着することを想定すると、右側、すなわち文字板を１２時の位置から６時の位置を結ぶ２線で２分割した領域のうちの３時を含む領域側に設けることによって、袖などでデジタル表示部１０７が隠されてしまうことがないからである。
【００４６】
また、分針１０４が１２時の位置から分周期で回動することで、潜水時間を示しているので、デジタル表示部１０７を右側になるようにして、左側に設けるよりも先に分針１０４によって隠された方がよい。なぜなら、潜水開始直後は、何十分も経過していないことが感覚的にわかり、潜水時間が経過するにつれて、時間を正確に把握できなくなるため、通常潜水する場合は、潜水開始から最初の３０分よりも、３０分経過後の方が、頻繁に潜水時間をチェックするからである。したがって、３０分経過後に、デジタル表示部１０７が分針１０４によって隠されるよりも、潜水を開始してから３０分以内の比較的早い時期に隠される方が、より利便性がよい。
【００４７】
特に、デジタル表示部１０７は、３時の位置を含む領域、すなわち、たとえば図１に示した位置にデジタル表示部１０７を設けるとよい。なぜなら、デジタル表示部１０７の表示内容は図１に示すように横書きが一般的なので、デジタル表示部１０７が下側または上側にあれば、分針１０４は、デジタル表示部１０７を縦方向に遮ることになる。したがって、デジタル表示部１０７の横方向に表示内容を複数段設けた場合に、そのすべてが同時に遮られることになることもあり、後述する表示の入れ替えをしたとしても、分針１０４によって隠される部分をなくすることができないためである。
【００４８】
図１において、デジタル表示部１０７は、現在時刻を表している地域に関する情報（ＮＹＣ（＝ニューヨーク））、日付に関する情報（１０／２８（１０月２８日））、曜日に関する情報（ＳＵＮ（＝日曜日））を示している。デジタル表示部１０７に表示する情報は、文字や記号のほか、画像（アニメーションを含む）などであってもよい。このように、情報をデジタル表示部１０７の表示領域の上下方向に少なくとも２段に表示するとよい。デジタル表示部１０７は、具体的には、たとえば液晶パネルや有機ＥＬ（Ｅｌｅｃｔｒｏｌｕｍｉｎｅｓｃｅｎｃｅ）パネルなどによって構成される。
【００４９】
（電子機器の構成）
図２は、本実施の形態にかかる電子機器の構成を示す説明図である。図２において、本体１００には、マイコンＩＣ２００と、ＲＡＭ２０１と、ＲＯＭ２０２と、モータ駆動回路２０３と、モータ２０４（２０４ａ、２０４ｂ、２０４ｃ、２０４ｄ）と、輪列２０５（２０５ａ、２０５ｂ、２０５ｃ、２０５ｄ）と、液晶駆動回路２０６と、ソーラセル２０７と、二次電池２０８と、充電制御回路２０９と、スイッチ部２１０と、スイッチ部制御回路２１１と、圧力センサ２１２と、ＡＤ変換回路２１３と、水感知センサ２１４と、水感知センサ部制御回路２１５と、アラーム（ブザー）２１６と、アラーム駆動回路２１７と、ＬＥＤ２１８と、ＬＥＤ駆動回路２１９と、基準信号発生部２２０と、カウンタ部２２１を備える。
【００５０】
マイコンＩＣ２００は、後述する計時データ記憶部の駆動状態を制御するほか、各種の構成部を個別に演算制御する。また、マイコンＩＣ２００は、電子機器の本体１００の全体を制御する。また、ＲＡＭ２０１は、各種データを記憶している。たとえば計時データ記憶部と、時刻アラーム設定記憶部と、潜水時間設定記憶部と、警告水深設定記憶部と、潜水／浮上速度情報記憶部と、異常速度計数部、潜水ログデータ記憶部などを含んでいる。また、ＲＯＭ２０２は、各種の制御プログラムを記憶している。
【００５１】
ここで、ＲＡＭ２０１に含まれる計時データ記憶部は、マイコンＩＣ２００から出力される時刻情報あるいはカレンダ情報を記憶する。また、計時データ記憶部は、現在時刻の計時のほかに、所定の時点からの経過時間の計時（たとえば潜水時間や動作禁止時間の計時など）データを記憶する。
【００５２】
時刻アラーム設定記憶部は、設定された時刻アラームに関する情報を記憶する。時刻アラームに関する情報は、たとえば、アラーム音を出力する日時、アラーム音の種類・音量、アラーム音の長さ、繰り返しの有無などを含む。
【００５３】
潜水時間設定記憶部は、設定された潜水時間に関する情報を記憶する。潜水時間に関する情報とは、潜水時間すなわちその潜水時間を経過した場合は警告アラーム音を出力する時間、アラーム音の種類・音量、アラーム音の長さ、繰り返しの有無などを含む。複数の潜水時間を設定しておいて、潜水条件（ボンベなど機材の種類、体調など）に応じて切り替えて設定するようにしてもよい。
【００５４】
警告水深設定記憶部は、設定された警告水深に関する情報を記憶する。警告水深に関する情報とは、警告アラーム音を出力する水深、アラーム音の種類・音量、アラーム音の長さ、繰り返しの有無などを含む。複数の水深ごとに、異なるアラーム音の種類・音量を設定するようにしてもよい。
【００５５】
潜水／浮上速度情報記憶部は、設定された潜水あるいは浮上速度に関する情報を記憶する。この潜水あるいは浮上速度に関する情報は、超えてはならない潜水あるいは浮上速度（異常速度）に関する情報、その異常速度を超えた場合における警告アラーム音を出力する測定回数、アラーム音の種類・音量、アラーム音の長さ、繰り返しの有無などを含む。
【００５６】
異常速度計数部は、連続して測定された異常速度を計数する。そして、計数された回数をマイコンＩＣ２００へ出力する。マイコンＩＣ２００は、潜水／浮上速度情報記憶部に記憶された測定回数と異常速度計数部によって出力された回数とに基づいて警告アラームを出力する。
【００５７】
潜水ログデータ記憶部は、過去の潜水情報を複数（たとえば２０回分）を記憶する。２０回分以上になると、古い潜水情報から順に消去し、新しい潜水情報を記憶する。潜水情報は、潜水日時、潜水時間、最大深度、平均水温などである。潜水録データ記憶部に記憶された潜水情報の表示については後述する（図１２参照）。
【００５８】
モータ駆動回路２０３は、独立した４つのモータ２０４（２０４ａ、２０４ｂ、２０４ｃ、２０４ｄ）を駆動し、輪列２０５（２０５ａ、２０５ｂ、２０５ｃ、２０５ｄ）を介して、それぞれの指針を別個独立に駆動する。
【００５９】
液晶駆動回路２０６は、デジタル表示部１０７を駆動して各種情報を表示させる。また、充電制御回路２０９は、ソーラセル２０７によって受光された光を電力に変換し、二次電池２０８に蓄積する。
【００６０】
スイッチ部２１０は、操作者の操作指示を入力する。具体的には、ボタン１０２や竜頭などである。スイッチ部制御回路２１１は、スイッチ部２１０からの信号に基づいて、操作者からの操作指示に関する入力をマイコンＩＣ２００に送信する。
【００６１】
圧力センサ２１２は、たとえば半導体圧力センサなどからなり、電子機器の本体１００の周囲の水圧あるいは気圧を測定する。また、ＡＤ変換回路２１３は、圧力センサ２１２によって測定されたアナログ値をデジタル値に変換し、変換した値をマイコンＩＣ２００へ送信する。
【００６２】
水感知センサ２１４は、電子機器の本体１００が水に接触しているか否かを検知する。また、水感知センサ部制御回路２１５は、水感知センサ２１４を制御して、水に接触したことをマイコンＩＣ２００へ伝達する。このように、水感知センサ２１４によって、自動的にモードの切替えがおこなわれるので、操作者は、潜水を開始する場合や潜水を終了する場合に、それぞれ、手動にて切り替え処理をおこなう必要はない。
【００６３】
アラーム駆動回路２１７は、アラーム（ブザー）２１６が搭載する図示を省略するスピーカを駆動して、アラーム（ブザー）を出力する。その際、アラーム駆動回路２１７は、告知の種類によって、音の種類、高さ、音量などを変えて出力する。複数人で潜水する場合、水中では、アラーム２１６のみでは、誰のアラームが鳴っているのかが判別しにくい。そこで、アラームを鳴らす場合には、アラーム２１６とともにＬＥＤを点灯されることが望ましい。
【００６４】
ＬＥＤ駆動回路２１９は、ＬＥＤ２１８を駆動してバックライトとしてデジタル表示部１０７を照明したり、警告光を出力したりする。ＬＥＤ２１８の代わりに、ＥＬ（Ｅｌｅｃｔｒｏｌｕｍｉｎｅｓｃｅｎｃｅ）、ランプなどを用いてもよい。
【００６５】
基準信号発生部２２０は、たとえば発振回路から構成され、計時処理の基準となる所定の周波数を有する信号を発生する。また、カウンタ部２２１は、基準信号発生部２２０から発生される所定の周波数を有する信号をマイコンＩＣ２００に対して出力する。
【００６６】
このような構成において、マイコンＩＣ２００は、液晶駆動回路２０６を制御して、指針（具体的には、たとえば分針１０４）が回転または回動する位置に応じて、デジタル表示部１０７に表示されている情報の表示形態を変更して表示する。表示形態の変更としては、たとえば、デジタル表示部１０７の表示領域内における情報の表示位置を変更して表示するようにしてもよい。
【００６７】
より具体的には、デジタル表示部１０７に表示される情報の表示位置を変更しなかった場合と比較して、指針（具体的には、たとえば分針１０４）が情報を遮る時間が短くなるように、または、表示位置を変更しなかった場合と比較して、指針が情報を遮る範囲が少なくなるように、デジタル表示部１０７の表示領域内における情報の表示位置を変更して表示するとよい。より、好ましくは、指針によって情報が全く遮られないように、デジタル表示部１０７の表示領域内における情報の表示位置を変更して表示するようにするとなおよい。
【００６８】
また、マイコンＩＣ２００は、デジタル表示部１０７の所定の表示領域にそれぞれ表示された複数の情報を表示するとともに、複数の情報にそれぞれ設定された優先順位に基づいて、デジタル表示部１０７の表示領域内における、複数の情報のうちの少なくとも一つの情報の表示位置を変更して表示する。優先順位は、表示の重要度に基づいて定めることができる。その詳細については後述する。
【００６９】
また、マイコンＩＣ２００は、デジタル表示部１０７の所定の表示領域にそれぞれ表示された複数の情報を表示するとともに、表示された複数の情報にそれぞれ設定された優先順位に基づいて、デジタル表示部１０７の表示領域内における、複数の情報のうちの少なくとも２つの情報の各表示位置を入れ替えて表示するようにしてもよい。
【００７０】
また、上記のように、マイコンＩＣ２００は、デジタル表示部１０７に表示される情報の表示位置を変更しなかった場合と比較して、指針がデジタル表示部１０７に表示される情報を遮る時間が短くなるように、あるいは、指針によって上記情報が全く遮られないようにする。このように、そのままの位置に情報を表示しているよりも、位置を入れ替えることによって、隠れる時間が短くなれば、より情報を読み取りやすくなる。遮る時間が短くなるということは、遮る時間がゼロの場合も含む。
【００７１】
具体的には、現在深度を、表示位置を変えずに常に下段に表示させると、１５分過ぎから２５分頃まで、分針１０４によって、少なくとも一部が隠れた状態となる。このうち、隠れる割合が多くなるのが、分針１０４が１６分〜２０分頃の位置にあるときである。このように、隠れる割合が多く、情報が正しく読み取れない期間だけ入れ替えるようにすることもできる。分針の一部によって、情報の一部が所定時間以上隠れても、その情報が正確に認識できればよい。また、情報の一部が隠れて、ある時間その情報が読み取れなくなっても、その時間が短ければ、実際の使用上は支障がない。
【００７２】
また、情報のごく一部しか隠れない場合でも、その一部が所定時間以上隠れることによって、その情報が間違った意味に解釈されるおそれがある場合は、全部が表示されるように、位置を入れ替えて表示するとよい。たとえば、数字の「７」の上部だけ隠れて、「１」のように見える場合は、上部が隠れないように、情報の位置を変えればよい。
【００７３】
また、前述のように、マイコンＩＣ２００は、デジタル表示部１０７に表示されている情報の表示位置を変更しなかった場合と比較して、指針が上記情報を遮る範囲が少なくなるようにする。すなわち、分針１０４の現在位置に対して、表示位置を変更しなかった場合に、その情報が遮られる範囲が少なくなるように、情報の表示位置を変更する。たとえば、後述する図７の分針１０４の位置では、現在時刻６０２が７〜８割程度分針１０４によって遮られている。これに対し、ページ番号・アニメーション６０１は、一部が分針によって遮られているが、その範囲は、分針１０４よりも少なく、１〜２割程度である。
【００７４】
仮に、現在時刻６０２の優先順位が、ページ番号・アニメーション６０１よりも高かった場合には、図７の分針位置に対して、現在時刻６０２とページ番号・アニメーション６０１の表示位置を入れ替える。そうすると、現在時刻６０２は、表示位置を変更しなかった場合（中断にそのまま表示していた場合）と比較して、分針１０４によって遮られる範囲が、７〜８割程度から、１〜２割程度に少なくなる。このように、そのときの分針１０４の位置に応じて、分針１０４によって情報を遮る範囲が少なくなるように、表示位置を変更することによって、その情報を認識しやすくなる。遮る範囲が少なくなるということは、遮る範囲がゼロの場合も含む。
【００７５】
また、マイコンＩＣ２００は、デジタル表示部１０７における少なくとも一つの情報の表示位置を変更して表示する。たとえば、デジタル表示部１０７に表示する情報が１ページしかなく、現在時刻と現在深度の２つの情報しか表示しない場合は、現在深度の表示位置のみを変えるようにしてもよい。
【００７６】
また、マイコンＩＣ２００は、デジタル表示部１０７の少なくとも２つの情報の各表示位置を入れ替えて表示する。また、マイコンＩＣ２００は、前記情報を前記表示手段の表示領域の上下方向に少なくとも２段に表示する。図１においては、デジタル表示部１０７が３段表示であるが、たとえば、ページ番号・アニメーションを表示する必要が無い場合は、デジタル表示部１０７を２段表示に切り替えてから、２つの情報を入れ替えるようにしてもよい。
【００７７】
また、マイコンＩＣ２００は、液晶駆動回路２０６を制御して、指針（具体的には、たとえば分針１０４）が回転または回動する位置に応じて、デジタル表示部１０７に表示されている情報を、その情報とは同時に表示しない、一つまたは複数の別の情報に切り替えて表示する。具体的な内容については、後述する。
【００７８】
その際、マイコンＩＣ２００は、指針（具体的には、たとえば分針１０４）が回転または回動する位置に応じて、デジタル表示部１０７の表示領域内における別の情報の表示位置を変更して表示する。また、指針（具体的には、たとえば分針１０４）が回転または回動する位置に応じて、指針（具体的には、たとえば分針１０４）が表示位置を変更しなかった場合と比較して、指針（具体的には、たとえば分針１０４）が別の情報を遮る時間が短くなるように、または、表示位置を変更しなかった場合と比較して、指針が別の情報を遮る範囲が少なくなるように、デジタル表示部１０７の表示領域内における別の情報の表示位置を変更して表示するようにしてもよい。より、好ましくは、指針によって情報が全く遮られないように、デジタル表示部１０７の表示領域内における別の情報の表示位置を変更して表示するとなおよい。
【００７９】
また、マイコンＩＣ２００は、デジタル表示部１０７の所定の表示領域にそれぞれ表示された複数の別の情報を表示するとともに、表示された別の複数の情報にそれぞれ設定された優先順位に基づいて、デジタル表示部１０７の表示領域内における、複数の別の情報のうちの少なくとも一つの情報の表示位置を変更して表示する。
【００８０】
情報または別の情報のうち、計時手段（具体的には、たとえば基準信号発生部２２０およびカウンタ部２２１）によって取得される情報よりも、計測手段（具体的には、たとえば圧力センサ２１２、水感知センサ２１４など）によって取得される情報の優先順位を高くする。また、マイコンＩＣ２００は、計測手段によって取得される情報を所定のタイミングで更新する。
【００８１】
回転または回動周期の異なる複数の指針のうち、周期の長い指針に対して、指針が回転または回動する位置に応じて、表示位置を変更しなかった場合と比較して、指針が情報を遮る時間が短くなるように、または、表示位置を変更しなかった場合と比較して、指針が情報を遮る範囲が少なくなるように、デジタル表示部１０７の表示領域内における情報の表示位置を変更して表示する。より、好ましくは、指針によって情報が全く遮られないように、デジタル表示部１０７の表示領域内における情報の表示位置を変更して表示するのがよい。
【００８２】
なお、秒針１０３も、分針１０４と同様に、デジタル表示部１０７上を通過するが、秒針１０３によって、デジタル表示部１０７の一部が遮られても、これに表示される情報の入れ替えて表示をおこなわないようにしている。これは、秒針１０３は、１分に一回デジタル表示部１０７上を通過するため、頻繁に情報の入れ替えをおこなうこととなり、デジタル表示部１０７を見るたびに、情報が入れ替わり、潜水中の使用者が混乱してしまうおそれがあるからである。ただし、秒針に対する情報の入れ替えをおこなっても使用上問題がない場合は、その入れ替えをおこなうようにしてもよい。
【００８３】
また、マイコンＩＣ２００は、アラーム駆動回路２１７およびＬＥＤ駆動回路２１９を制御して、駆動パルスによって動作する複数の警報手段（具体的には、たとえば、報音装置（たとえばアラーム２１６）、発光装置（たとえばＬＥＤ２１８）と、駆動パルスを警報手段ごとに互いに重ならないタイミングで出力させる。
【００８４】
図３および図４は、モータ駆動回路２０３、液晶駆動回路２０６、圧力センサ２１２、潜水時のアラーム駆動回路２１７、ＬＥＤ駆動回路２１９の駆動のタイミングを示す説明図である。図３は、潜水時における駆動のタイミングであり、毎秒、約１／１６秒ごとに、モータ駆動回路２０３による秒針１０３の秒運針、圧力センサ２１２による水深計測、モータ駆動回路２０３による機能針１０６の深度運針、モータ駆動回路２０３による分針１０４の分運針、モータ駆動回路２０３による時針１０５の時運針をおこなう。
【００８５】
一方、図４は潜水中における警告時の駆動のタイミングを示す説明図である。図４において、毎秒、約１／１６秒ごとに、モータ駆動回路２０３による秒針１０３の秒運針、圧力センサ２１２による水深計測、モータ駆動回路２０３による機能針１０６の深度運針、モータ駆動回路２０３による分針１０４の分運針をおこない、その後、ＬＥＤ駆動回路２１９による警告灯点灯を約１／８秒おこない、モータ駆動回路２０３による時針１０５の時運針を約１／１６の間におこなう。
【００８６】
その後、秒運針の開始から約１／２秒（５００ｍｓｅｃ）経過後に、アラーム駆動回路２１７による警告音発音を約１／２秒おこなう。このように、複数の警報手段（具体的には、たとえば、アラーム２１６、ＬＥＤ２１８）の駆動パルスを警報手段ごとに互いに重ならないタイミングで出力させることができる。
【００８７】
ＲＯＭ２０２に記憶されている各種の制御プログラムを利用してマイコンＩＣ２００が各種の制御情報を記憶しているＲＡＭ２０１のデータを使用して所定の演算処理をおこない、電子機器の本体１００の各種の構成部を駆動制御するように構成されている例を示したが、本発明はこのような具体例の構成に限定されるものではなく、マイコンＩＣ２００を使わないランダムロジックの構成にて同一の機能を実現することができる。
【００８８】
（電子機器の動作）
図５は、本実施の形態にかかる電子機器の動作の内容を示すフローチャートである。図５のフローチャートにおいて、潜水が開始されたか否かを判断する（ステップＳ５０１）。ここで、潜水が開始されるのを待って、潜水が開始されたと判断された場合（ステップＳ５０１：Ｙｅｓ）は、つぎに、デジタル表示部１０７の表示を潜水モードの内容に変更する（ステップＳ５０２）とともに、時針１０５を「６時」の位置へ、分針１０４を「１２時」の位置へ回動する（ステップＳ５０３）。
【００８９】
そして、分針１０４を分周期で回動を開始させる（ステップＳ５０４）。その後、潜水が終了したか否かを判断する（ステップＳ５０５）。ここで、潜水が終了していないと判断した場合（ステップＳ５０５：Ｎｏ）は、つぎに、所定時間が経過したか否かを判断する（ステップＳ５０６）。所定時間の詳細な内容については後述する。ここで、いまだ所定時間が経過していない場合（ステップＳ５０６：Ｎｏ）は、何もせずに、ステップＳ５０５へ戻る。
【００９０】
一方、所定時間が経過した場合（ステップＳ５０６：Ｙｅｓ）は、デジタル表示部１０７の表示形態を所定の表示形態へ変更し（ステップＳ５０７）、その後、ステップＳ５０５へ戻る。所定時間は複数存在するので、潜水が終了するまで、その都度、所定時間に対応した所定の表示形態へ変更する。その後、ステップＳ５０５において、潜水が終了したと判断した場合（ステップＳ５０５：Ｙｅｓ）は、表示を時刻表示モードの内容に変更する（ステップＳ５０８）とともに、時針１０５，分針１０４を現在時刻へ戻すように回動し（ステップＳ５０９）、一連の処理を終了する。
【実施例】
【００９１】
（実施例１）
つぎに、実施例１について説明する。図６〜図１２は、この発明の実施例１にかかる電子機器の表示制御の内容を示す説明図である。図６〜図１２は、それぞれ、潜水モードにおける本体１００の表示の内容を示している。図６において、時針１０５が６時の位置に回動しており、『ＤＩＶＥ』を指し示していることから、現在潜水中であることがわかる。また、分針１０４の回動位置によって、潜水開始から約６分（あるいは６６分、１２６分、・・・）が経過していることがわかる。
【００９２】
デジタル表示部１０７には、１表示領域内には表示しきれないだけの多数の情報を表示するため、ページ切り替えをおこなって、これらの情報を表示するようにしている。具体的には、所定のボタンを押すごとに、次のページが表示されるように構成されている。デジタル表示部１０７の上段領域６０１には、ページ番号を示す『１』と、潜水モードを示すアニメーション（ダイバーが潜水している様子を示してる）が表示されている。また、デジタル表示部１０７の中段領域６０２には、現在時刻（『Ａ１０：０６』（＝午前１０時６分））が表示されている。また、デジタル表示部１０７の下段領域６０３には、現在深度（『１０．８Ｍ』（＝１０．８メートル））が表示されている。また、最大深度は、機能針１０６によって示されている。
【００９３】
ここで、情報表示位置切り替えルールの一例として、分針１０４が０分〜１５分、および３０分〜０分にあるときは、現在深度を下段領域に表示する。また、分針１０４が１５分〜３０分の間は、現在深度を上段領域に表示する。アニメーション・ページ番号は、現在深度が下段領域のときに上段領域に表示し、現在深度が上段領域のときに下段領域に表示する。さらに、現在時刻は、常に中段に表示されている。
【００９４】
図７において、図６と同様に、時針１０５が６時の位置に回動しており、『ＤＩＶＥ』を指し示していることから、現在潜水中であることがわかる。また、分針１０４の回動位置によって、潜水開始から約１４分（あるいは７４分、１３４分、・・・）が経過していることがわかる。
【００９５】
デジタル表示部１０７の上段領域６０１には、図６と同様に、ページ番号が１であることを示す『１』と、潜水モードを示すアニメーション（ダイバーが潜水している様子を示してる）が表示されている。また、デジタル表示部１０７の中段領域６０２には、現在時刻（『Ａ１０：１４』（＝午前１０時１４分））を示しているが、そのほぼ全体が分針１０４によって遮られていて、現在時刻は明確に認識することができなくなっている。しかしながら、潜水中の使用者にとって現在時刻はさほど重要ではないため、表示内容の変更はしていない。また、デジタル表示部１０７の下段領域６０３には、現在深度（『２８．０Ｍ』（＝２８．０メートル））が表示されている。
【００９６】
図８において、図６および図７と同様に、時針１０５が６時の位置に回動しており、『ＤＩＶＥ』を指し示していることから、現在潜水中であることがわかる。また、分針１０４の回動位置によって、潜水開始から約１５分（あるいは７５分、１３５分、・・・）が経過していることがわかる。
【００９７】
ここで、デジタル表示部１０７の下段領域６０３に表示されている現在深度（『２８．０Ｍ』）は、潜水中の使用者にとっては重要な情報であるにもかかわらず、図６や図７に示した表示位置のままでは、その後、数分間にわたって分針１０４によって遮られることになるから、上段領域６０１に表示されていた上記アニメーション・ページ番号と、下段領域６０３に表示されていた現在深度とを入れ替えて表示する。上段領域６０１に表示されていた上記アニメーション・ページ番号は、現在深度と比較すると重要な情報ではないので、その後、数分間にわたってその表示が遮られても大きな問題にはならない。すなわち、１ページ目の情報には、現在深度＞アニメーション・ページ番号>現在時刻の順に、優先順位が設定されている。
【００９８】
これによって、図８に示すように、上段領域６０１に現在深度（『２８．０Ｍ』（＝２８．０メートル））が表示され、下段領域６０３に上記アニメーション・ページ番号が表示されることになる。また、デジタル表示部１０７の中段領域６０２には、現在時刻（『Ａ１０：１５』（＝午前１０時１５分））を示しているが、そのほぼ全体が分針１０４によって遮られていて、現在時刻は明確に認識することができなくなっている。しかしながら、潜水中の使用者にとって現在時刻はあまり重要ではないため、表示内容を変更せず、そのままである。
【００９９】
図９において、図６〜図８と同様に、時針１０５が６時の位置に回動しており、『ＤＩＶＥ』を指し示していることから、現在潜水中であることがわかる。また、分針１０４の回動位置によって、潜水開始から約２３分（あるいは８３分、１４３分、・・・）が経過していることがわかる。
【０１００】
ここで、現在深度（『３６．５Ｍ』）は、図８と同様に上段領域６０１に表示されているため、潜水中の使用者にとってその値を認識しやすい。また、デジタル表示部１０７の中段領域６０２には、現在時刻（『Ａ１０：２３』（＝午前１０時２３分））が表示されているが、分針１０４の回動によって、遮られることなく、容易に認識することができる。また、デジタル表示部１０７の下段領域６０３に表示されている上記アニメーション・ページ番号はその一部のみが分針１０４によって遮られている。この状態で、現在深度を下段領域６０３に戻すと、いまだその一部が分針１０４によって遮られるので、この状態では、現在深度は下段領域６０３には戻さず、上段領域６０１に表示したままである。
【０１０１】
図１０において、図６〜図９と同様に、時針１０５が６時の位置に回動しており、『ＤＩＶＥ』を指し示していることから、現在潜水中であることがわかる。また、分針１０４の回動位置によって、潜水開始から約３０分（あるいは９０分、１５０分、・・・）が経過していることがわかる。
【０１０２】
ここで、分針１０４は、回動して６時（３０分）の位置を指し示しているため、デジタル表示部１０７を全く遮っていない。この時点で、上段領域６０１に表示されていた現在深度（『４０．０Ｍ』）と下段領域６０３に表示されていた上記アニメーション・ページ番号とを再び入れ替えることで、図６に示した元の状態に戻している。したがって、表示内容において重要な「現在深度」については、分針１０４の回動位置がどこにあっても、分針１０４によってその表示内容が遮られることはなく、常に明確に視認することができる。このようにして、分針１０４の回動に基づいて、デジタル表示部１０７の表示形態を変更する。
【０１０３】
また、図１１は、潜水モードの２ページ目の内容を示している。図１１において、時針１０５が６時の位置に回動しており、『ＤＩＶＥ』を指し示していることから、現在潜水中であることがわかる。また、分針１０４の回動位置によって、潜水開始から約６分（あるいは６６分、１２６分、・・・）が経過していることがわかる。
【０１０４】
デジタル表示部１０７の上段領域１１０１には、ページ番号を示す『２』と、水温に関する情報が表示されている。また、デジタル表示部１０７の中段領域１１０２には、潜水時間（『０６’１９”』（＝６分１９秒））が表示されている。また、デジタル表示部１０７の下段領域１１０３には、最大深度（『３２．８Ｍ』（＝３２．８メートル））が表示されている。また、最大深度は、機能針１０６によっても示されている。
【０１０５】
ページ切り替えは、たとえば、１ページ目が表示されている状態で、所定のボタンを押すと、２ページ目に切り替わる。２ページ目には、１ページ目の情報とは異なる情報である「別の情報」が含まれている。ページ切り替えがおこなわれたときに、各情報の表示位置を、分針の位置と優先順位に応じて決定する。１ページ目の場合と同様に、２ページ目の各情報にも、優先順位が設定されている。
【０１０６】
図１１に示した、２ページ目においても、１ページ目と同様に、分針１０４の回動（デジタル表示部１０７上の通過）にともなって、重要情報の回避表示処理をおこなう。具体的には、潜水モードの２ページ目については、優先順位の高い順に「最大深度」、「潜水時間」、「温度・ページ番号」であるから、１ページ目と同様に表示形態を変更する。
【０１０７】
なお、上記優先順位はあからじめ定められているが、使用者が表示内容を変更することができるとともに、その優先順位も変更することができる。たとえば、下段領域１１０３の表示を「最大深度」に代えて「現在深度」としてもよい。また、優先順位の高い順に「最大深度」、「潜水時間」、「温度・ページ番号」であったものを、「最大深度」は機能針１０６によっても示されているし、「潜水時間」は分針１０４によって示されているので、あえてその順序を変更し、優先順位の高い順に「温度・ページ番号」、「最大深度」、「潜水時間」と変更してもよい。このように、使用者の用途に合わせて表示内容、回避表示制御の優先順位を変更することができる。
【０１０８】
また、図１２は、３ページ目の内容を示している。図１２において、時針１０５が６時の位置に回動しており、『ＤＩＶＥ』を指し示していることから、現在潜水中であることがわかる。また、分針１０４の回動位置によって、潜水開始から約６分（あるいは６６分、１２６分、・・・）が経過していることがわかる。
【０１０９】
デジタル表示部１０７の上段領域１２０１には、３ページ目であることを示す『３』が表示されている。また、３ページ目は潜水ログに関する内容であるので、デジタル表示部１０７の上段領域１２０１には、さらに、潜水ログに関する内容を示す『ＬＯＧ』が表示されている。また、デジタル表示部１０７の中段領域１２０２には、前回潜水をおこなった際の潜水時間（『５０’５３”』（＝５０分５３秒））が表示されている。また、デジタル表示部１０７の下段領域１２０３には、前回潜水をおこなった際の最大深度（『４０．７Ｍ』（＝４０．７メートル））が表示されている。
【０１１０】
３ページ目についても、他のページと同様に、回避表示処理をおこなってもよく、また、単に潜水履歴であるので、あえて回避表示処理をおこなわなくてもよい。
【０１１１】
（実施例２）
つぎに、実施例２について説明する。図１３〜図１６は、この発明の実施例２にかかる電子機器の表示制御の内容を示す説明図である。図１３〜図１６は、それぞれ、潜水モードにおける本体１００の表示の内容を示している。図１３において、実施例１との違いは、６時の位置の『ＤＩＶＥ』に『０』１３１０、『１』１３１１、『２』１３１２、『３』１３１３の目盛りが付いている点である。これらの目盛りは、潜水経過時間の『時間』情報である。すなわち、潜水中に分針１０４が０分から１回転して０分位置に戻るまでは、１０５が『０』〜『１』の間を表示する。同様に、分針１０４が２週目，３週目は、それぞれ、『１』〜『２』、『１』〜『２』を表示する。
【０１１２】
時針１０５が６時の位置に回動しており、『ＤＩＶＥ』の『０』１３１０を指し示していることから、現在潜水中であるとともに、潜水時間が１時間（６０分）未満であることがわかる。また、分針１０４の回動位置によって、潜水開始から約６分が経過していることがわかる。さらに、デジタル表示部１０７の中段領域１３０２に潜水時間が『０６’１９”』（＝６分１９秒）と表示されている。
【０１１３】
また、デジタル表示部１０７の上段領域１３０１には、潜水モードのバージョン２を示す『２』と、水温に関する情報が表示されている。また、また、デジタル表示部１０７の下段領域１３０３には、最大深度（『３２．８Ｍ』（＝３２．８メートル））が表示されている。また、最大深度は、機能針１０６によっても示されている。
【０１１４】
図１４において、時針１０５が、『１』１３１１を指し示していることから、潜水時間が１時間以上２時間未満であることがわかる。また、分針１０４の回動位置によって、潜水開始から約６分が経過していることがわかる。デジタル表示部１０７の中段領域１３０２に『６６’１９”』（＝６６分１９秒）と表示されていることからも、潜水時間を知ることができる。
【０１１５】
図１５において、時針１０５が、『２』１３１２を指し示していることから、潜水時間が２時間以上３時間未満であることがわかる。また、分針１０４の回動位置によって、潜水開始から約６分が経過していることがわかる。デジタル表示部１０７の中段領域１３０２に『１２６’』（＝１２６分）と表示されていることからも、潜水時間を知ることができる。
【０１１６】
図１６において、時針１０５が、『３』１３１３を指し示していることから、潜水時間が３時間以上４時間未満であることがわかる。また、分針１０４の回動位置によって、潜水開始から約６分が経過していることがわかる。デジタル表示部１０７の中段領域１３０２に『１８６’』（＝１８６分）と表示されていることからも、潜水時間を知ることができる。
【０１１７】
以上説明したように、本実施の形態によれば、回転または回動する指針（たとえば分針１０４）と、文字、記号などの情報を電気光学的に表示するデジタル表示部１０７と、を備え、指針（たとえば分針１０４）が回転または回動する位置に応じて、デジタル表示部１０７に表示されている情報の表示形態を変更して表示するため、指針（たとえば分針１０４）の回転または回動によって電気光学的に情報を表示する表示手段の一部が遮られる場合であっても、表示手段に表示される情報をより確実に認識することができるので、表示領域を有効活用しつつ、多種の情報を提供することができる。
【０１１８】
上記実施の形態においては、デジタル表示部１０７に表示されている情報の表示形態の変更として、情報の表示位置を変更することについて説明したが、他の表示形態の変更を行ってもよい。他の表示形態の変更の例として、デジタル表示部１０７に表示する情報の大きさを変更して表示することができる。
【０１１９】
図１において、デジタル表示部１０７の中段領域に表示されている日付に関する情報『１０／２８』のうち、『１０』（月）が小さく、『２８』（日）が大きく表示されている。分針１０４の位置が図１に示す位置の場合、『１０』を『２８』と同じ大きさで表示すると、『１０』の左上が分針１０４によって遮られてしまうが、図１に示すように、『２８』よりも小さく表示することで、分針１０４によって遮られなくなる。このように、分針１０４が文字を遮らない位置のときには文字を大きく表示し、分針１０４が文字に近づいたときに、文字の大きさを小さく表示して、文字が遮られる時間を短くするようにしてもよい。
【０１２０】
なお、上記実施の形態においては、電子機器として、水深計付きの電子時計について説明したが、これに限定されるものではない。たとえば、指針で通常時刻を表示しているときに、分針や時針の位置に応じてデジタル表示部に表示する情報を入れ替えてもよい。また、この電子時計は、腕時計のほか、掛け時計、置き時計などすべての種類の時計が含まれる。さらに、本発明は、電子時計に限定されるものではなく、指針を設けることにより、電子機器を内蔵した、カメラ、デジタルカメラ、デジタルビデオカメラ、ゲーム機器、携帯電話機、ＰＤＡ（Ｐｅｒｓｏｎａｌ  デジタル  Ａｓｓｉｓｔａｎｔ）、ノート型パーソナルコンピュータなどの携帯可能な情報端末装置、さらには、家電や自動車を含む電子機器に適用してもよい。
【産業上の利用可能性】
【０１２１】
以上のように、本発明にかかる電子機器および表示制御方法は、回転または回動する指針と、文字、記号などの情報を電気光学的に表示する表示手段と、を備えた時計やダイブコンピュータなどの電子機器に用いるのに適している。
【図面の簡単な説明】
【０１２２】
【図１】本実施の形態にかかる電子機器の外観を示す説明図である。
【図２】本実施の形態にかかる電子機器の構成を示す説明図である。
【図３】モータ駆動回路、液晶駆動回路、圧力センサ、潜水時のアラーム駆動回路、ＬＥＤ駆動回路の駆動のタイミング（潜水時）を示す説明図である。
【図４】モータ駆動回路、液晶駆動回路、圧力センサ、潜水時のアラーム駆動回路、ＬＥＤ駆動回路の駆動のタイミング（潜水警告時）を示す説明図である。
【図５】本実施の形態にかかる電子機器の動作の内容を示すフローチャートである。
【図６】この発明の実施例１にかかる電子機器の表示制御の内容を示す説明図（その１）である。
【図７】この発明の実施例１にかかる電子機器の表示制御の内容を示す説明図（その２）である。
【図８】この発明の実施例１にかかる電子機器の表示制御の内容を示す説明図（その３）である。
【図９】この発明の実施例１にかかる電子機器の表示制御の内容を示す説明図（その４）である。
【図１０】この発明の実施例１にかかる電子機器の表示制御の内容を示す説明図（その５）である。
【図１１】この発明の実施例１にかかる電子機器の表示制御の内容を示す説明図（その６）である。
【図１２】この発明の実施例１にかかる電子機器の表示制御の内容を示す説明図（その７）である。
【図１３】この発明の実施例２にかかる電子機器の表示制御の内容を示す説明図（その１）である。
【図１４】この発明の実施例２にかかる電子機器の表示制御の内容を示す説明図（その２）である。
【図１５】この発明の実施例２にかかる電子機器の表示制御の内容を示す説明図（その３）である。
【図１６】この発明の実施例２にかかる電子機器の表示制御の内容を示す説明図（その４）である。
【符号の説明】
【０１２３】
１００  （電子機器の）本体
１０２（１０２ａ、１０２ｂ、１０２、１０２ｄ）  操作ボタン
１０３  秒針
１０４  分針
１０５  時針
１０６  機能針
１０７  デジタル表示部
２００  マイコンＩＣ
２０１  ＲＡＭ
２０２  ＲＯＭ
２０３  モータ駆動回路
２０６  液晶駆動回路
２０７  ソーラセル
２０８  二次電池
２０９  充電制御回路
２１０  スイッチ部
２１２  圧力センサ
２１４  水感知センサ
２１５  水感知センサ部制御回路
２１６  アラーム（ブザー）
２０８  ＬＥＤ
６０１，１１０１，１２０１，１３０１  （デジタル表示部の）上段領域
６０２，１１０２，１２０２，１３０２  （デジタル表示部の）中段領域
６０３，１１０３，１２０３，１３０３  （デジタル表示部の）下段領域
【図１】
2006275948.tif 000003
【図２】
2006275948.tif 000004
【図３】
2006275948.tif 000005
【図４】
2006275948.tif 000006
【図５】
2006275948.tif 000007
【図６】
2006275948.tif 000008
【図７】
2006275948.tif 000009
【図８】
2006275948.tif 000010
【図９】
2006275948.tif 000011
【図１０】
2006275948.tif 000012
【図１１】
2006275948.tif 000013
【図１２】
2006275948.tif 000014
【図１３】
2006275948.tif 000015
【図１４】
2006275948.tif 000016
【図１５】
2006275948.tif 000017
【図１６】
2006275948.tif 000018